(57)【特許請求の範囲】
【請求項１】
銃器の実弾射撃の標的の後方に配置され、射手が前記標的に向かって発射した弾丸を、堆積した粒状部材で捕捉する停弾装置において、
箱型の容器の前記射手側の面を弾性膜材で形成し、該容器の中に前記粒状部材を充填し、前記弾性膜材の周縁部を除いた任意の部分を前記容器の後方壁面に支持部材で連結させてなる停弾装置。
【請求項２】
請求項１に記載の停弾装置において、前記容器は、上部に前記粒状部材の投入口、下部に前記粒状部材の排出口を有していることを特徴とする停弾装置。
【請求項３】
請求項１または２に記載の停弾装置において、前記弾性膜材は、弾粘性のあるゴム、プラスチック、強化繊維布または網目材及びこれらの複合材のうちいずれか一つ以上を含んでなり、前記支持部材は、前記弾性膜材と同材質かまたは布状材、布積層材、または網目材であることを特徴とする停弾装置。
【請求項４】
請求項１乃至３のいずれかに記載の停弾装置において、前記支持部材は、前記標的が前記弾性膜材に投影された領域の外部に配置されていることを特徴とする停弾装置。
【請求項５】
請求項１乃至４のいずれかに記載の停弾装置において、前記標的は複数個配置されており、前記複数の支持部材は、前記複数の標的の中間に対応する位置に配置されていることを特徴とする停弾装置。
【発明の詳細な説明】
【０００１】
【発明の属する技術分野】
本発明は、銃器の射撃場において、発射された弾丸を破砕させることなく標的の後方で捕捉する停弾装置に係り、特に、粒状部材を用いて弾丸を捕捉する停弾装置に関する。
【０００２】
【従来の技術】
従来、射撃場は、図１０に示すように、射撃を行なう射手が位置する射座、射座に対向して配置された標的２、標的２の前方（射座側）に配置された防弾堤６、標的の後方に配置された鋼板製傾斜バックストップ４、鋼板製傾斜バックストップ４の下部に配置された集弾溝５、を含んで構成されている。応用射撃訓練の場合は、必ずしも射座が決まっていない場合もある。
【０００３】
図１１は、射手側から標的方向を見た図である。この例では、標的２は弾丸の飛翔方向に対して直交する方向に移動可能になっており、防弾堤６により標的２の移動機構に弾丸が損傷を与えるのを防止するようになっている。
【０００４】
射座についた射手が標的に向かって拳銃やライフル銃の実弾射撃を行なうと、発射された弾丸８は、標的方向に飛翔する。標的方向に飛翔した弾丸は、標的に当らなかったものは直接鋼板製傾斜バックストップ４に当って破砕し、標的に当ったものは標的を貫通して鋼板製傾斜バックストップ４に当って破砕する。破砕した弾丸は破砕とともに運動方向を鋼板製傾斜バックストップ４に沿って下方に変え、集弾溝５に集まる。
【０００５】
【発明が解決しようとする課題】
しかし、上記従来の鋼板製傾斜バックストップでは、次のような問題があった。
１）弾丸破片が兆弾となって射手側へ飛散することがある。
２）鋼板面での弾丸破砕により鉛粉が発生し、射撃場の環境が汚染される。
３）集弾溝５に集まった弾丸破片の回収作業時に、作業員が鉛粉を摂取する惧れがある。
図１２に示す特公平５−２０６８０号公報の技術は、これらの問題を解決すべく提案された停弾装置である。この技術は標的後方に粒状部材１４を堆積させ、この粒状部材に弾丸を撃ち込ませることで、弾丸の破砕を回避すると共に、粒状部材から弾丸を分別回収するものである。しかし、この技術では、粒状部材１４を上方から落下させて堆積するので、形成された粒状部材の堆積の射座側の面は、粒状部材の安息角θの斜面となる。このため、弾丸を捕捉する粒状部材の射撃方向必要有効厚みｔ、停弾装置の設置高さをＨとすると、停弾装置の設置必要奥行きＤは、下式で示される。
【０００６】
Ｄ≧ｔ＋Ｈ／ｔａｎθ
一般的な射撃場の場合、Ｈ＝４ｍ，粒状部材の安息角θ＝３５度とすると、停弾装置の設置必要奥行きＤは、ｔ＋５．７ｍ以上になる。
【０００７】
これに対して、堆積された粒状部材の射座側の傾斜角を垂直に近くすることができれば、Ｄ≒ｔとなり、停弾装置の設置必要奥行きを大幅に低減できる。
【０００８】
図１３は、停弾装置の射手側の表面は弾性膜材１３とし、フレームに固定されるケーシングの中に粒状部材を充填することで、停弾装置の射座側の傾斜角、すなわち堆積された粒状部材の前面の傾斜角を垂直に近くした停弾装置を用いた射撃訓練の様子を示している。図１４は撃ち込まれた弾丸数が増えるにつれて図１３の停弾装置が変化する状態を示す断面図である。
【０００９】
撃ち込まれた弾丸数が少ない場合は図１４の（ａ）の状態であるが、撃ち込まれた弾丸数が増えるにつれて、図１４の（ｂ）を経て図１４の（ｃ）の状態となる。これは、弾性膜材に弾丸が貫通して膜材が損傷し、底に充填されている粒状部材の重量が内圧として働き、膨れが生じたものである。この膨れにより、内部の粒状部材が全体的に下に下がり、図１４の（ｃ）に示すように、停弾装置上部の停弾性能が低下し、弾丸の破砕や、兆弾が発生する。弾丸の破砕は鉛微粉の発生、兆弾の発生などの原因となる。
【００１０】
停弾装置上部の停弾性能を補うために、停弾装置上部に粒状部材を補充することは、粒状部材による内圧を増加させることになり、弾性膜材の膨れを加速させる結果を招く。
【００１１】
また、膨れが大きくなることは、停弾装置の厚みが、必要な厚み以上に厚くなることを意味し、多くの粒状部材を必要とし、好ましくない。また、左右に広く広がっている停弾装置では、粒状部材を上部より充填するとき、または下部から抜き出すとき、均一に充填または抜き出すことが困難であった。
【００１２】
すなわち、本発明の課題は、停弾装置の設置必要奥行きを低減するとともに、被弾に伴なう粒状部材保持材の上下左右膨れを防止し、停弾装置上部の弾丸捕捉性能が低下するのを防止するにある。
【００１３】
【課題を解決するための手段】
上記の課題を解決するため、本発明は、銃器の実弾射撃の標的の後方に配置され、射手が標的に向かって発射した弾丸を、堆積した粒状部材で捕捉する停弾装置において、箱型の容器の少なくとも射手側の面を弾性膜材で形成し、容器の中に粒状部材を充填し、弾性膜材の周縁部を除いた任意の部分を容器の後方壁面に支持部材で連結させてなることを特徴とする。この場合において、容器は、上部に粒状部材の投入口、下部に粒状部材の排出口を設けることが好ましい。
【００１４】
さらに、弾性膜材を上下方向に延びる支持部材で容器の後方壁面に連結させることにより、弾性膜材の上下方向への伸びが抑制され、弾性膜材の上下方向の膨れを防止できる。また、左右方向には、支持部材で区分してあるため、粒状部材が左右方向に偏ることなく均一な厚さにできるとともに、支持部材で区画されているため、所定箇所への粒状部材の充填、抜出しも均一にできる。
【００１５】
なお、この支持部材が撃ち込まれる弾丸で損傷するのを防止するため、支持部材の設置位置は、前記標的を前記弾性膜材に投影した領域の外部とするのが望ましい。
【００１６】
さらに、前記標的が複数個横に並んで配置されている場合、前記複数の支持部材は、同様の理由から、前記複数の標的の中間に対応する位置に分散配置するのが望ましい。
【００１７】
射撃訓練での標的は、通常、射手から見て、同心円または犯人像であり、縦０．７５ｍ，横０．７５ｍの正方形の範囲に前記同心円または犯人像を印刷したものが使用されている。また、射撃結果の評価は、同心円の中心に近いほど高くなるため、発射される弾丸のほぼ９０％以上が標的範囲（例えば前記縦０．７５ｍ，横０．７５ｍの正方形の範囲）を通過し、弾丸が標的範囲を通過する頻度は、標的の中心に近いほど高い。
【００１８】
したがって、発射された弾丸を内部に充填された粒状部材で捕捉する停弾装置を標的の後方に設置し、充填された粒状部材の前面を保持する弾性膜材を設け、この弾性膜材の前記標的範囲に対応する領域を外れた位置に、弾性膜材を固定支持する支持部材を配置することで、支持部材と弾性膜材の固定支持部が弾丸で損傷するのを低減できる。つまり、弾性膜材の射手側への膨出を低減できる。
【００１９】
支持部材の設置位置は、上述のように、弾性膜材の前記標的範囲に対応する領域を外れた位置にする必要があり、標的範囲の水平方向寸法の１〜２倍の間隔をおくか、標的配置間隔の中央位置とするのが望ましい。
【００２０】
また、標的を横方向に移動させつつ射撃する射撃場の場合、標的の移動に伴ない、弾丸の主要到達範囲は、標的の上下方向範囲を水平に移動した帯状の領域になる。この場合の支持部材は、前記帯状の領域を外れた上下の位置に設置することもできる。支持部材には、弾丸破砕を生じにくい材質のものを選定する必要があり、停弾装置の射座側表面を構成する弾性膜材と同材質又は布状材及び布積層材、網目材でもよい。弾性膜材に加わる、停弾装置内部に充填された粒状部材の内圧を、停弾装置を構成する構造材に伝達することのできる強度を有するものであればよい。
【００２１】
また、支持部材と弾性膜材の結合は、融着、接着、縫い付け、ねじ止めのいずれの方法によってもよいが、結合部に着弾した弾丸の破砕を起こしにくい結合方法を選定する必要がある。
【００２２】
停弾装置で捕捉された弾丸は、停弾装置下部から、粒状部材とともに排出され、分別回収される。このとき、弾丸はほぼ原型を留めた形状で回収されるので、回収作業時の作業員の鉛粉の摂取を防止できる。また、分別された粒状部材は停弾装置上部から装置内に戻すことで、容易に再使用することができる。
【００２３】
【発明の実施の形態】
以下、本発明の第１の実施の形態を、図１〜図３を参照して説明する。図１に、本実施の形態に係る停弾装置１２を標的２の後方に設置し、射座に位置する射手１が射撃姿勢で拳銃３を構えた状態を側面図で示す。標的２の前方（射座側）に、防弾堤６が弾丸の飛翔方向に対して直交する方向に延びるように配置されている。標的２は標的駆動装置７により、防弾堤６と平行する方向に移動可能になっている。図１では、標的２は、分かりやすくするために、９０度向きを変えて示してある。
【００２４】
図２は、射手側から標的方向を見た図であり、停弾装置１２は、高さ方向上端は標的２の上端よりも上方に位置し、下端は射撃場の標的位置床面高さに位置している。停弾装置１２の横方向幅は、標的２の幅よりも大きく、標的２の移動範囲全体にわたって配置されている。
【００２５】
図３に、停弾装置１２の構造を、一部破断斜視図で示す。停弾装置１２は、図３に示すように、扁平な長方形箱状の容器をなし、フレームで補強したケーシング構造で内部に粒状部材（本実施の形態ではチップ状の弾粘性部材）１４が充填されている。但し、図３では内部に充填される粒状部材１４は記載されていない。
【００２６】
前記長方形箱状の容器の前面（射手側の面）は、弾粘性のあるゴム、プラスチック、強化繊維布、網目材、またはこれらの貼付、サンドイッチ構造とした複合材からなる弾性膜材１３で形成され、この弾性膜材１３の四周を停弾装置フレーム１６で支持している。この停弾装置フレーム１６で、長方形箱状の容器の上下左右の面及び後面が形成されている。
【００２７】
本実施の形態では、停弾装置１２は、弾性膜材１３が、水平面に対してほぼ垂直をなすような状態で設置されている。
【００２８】
弾性膜材１３の上下端は、上述のように停弾装置フレーム１６で保持されているが、この部分を射弾から保護するため、防弾構造部材１７が、弾性膜材１３の上下端の前面に装着されている。この防弾構造部材１７の構造については、公知（特開平８−３３４２９７号公報、特開平８−１３６１９４号公報など）の構造を用いればよい。
【００２９】
停弾装置１２内部には、その後方壁面をなすケーシング１９と弾性膜材１３を連結固着する支持部材１８が上下方向に延在して設けられている。この上下方向に延在する支持部材１８は左右方向に間隔をおいて複数個設けられている。本実施の形態では、支持部材１８の断面形状はＺ型となっているが、Ｈ型形状でもよい。この支持部材１８の前後方向の長さ（あるいは深さ）は、停弾装置１２を構成する扁平箱状容器の前後方向内法寸法と同じにしてあり、支持部材１８前面に前記弾性膜材１３の後面が固着されている。すなわち、弾性膜材１３は、この支持部材１８により、前方に向かって膨出しないように控制されている。なお、支持部材１８は上下方向に設けられるが、充填された粒状部材の移動が可能なように上下方向の中間部分にのみ設け、支持部材１８の上方、下方では、支持部材の一方側から他方側へ粒状部材が移動できるようにすることもできる。
【００３０】
停弾装置１２の弾性膜材１３は、内部に充填される粒状部材１４を保持する粒状部材保持材としての役割とともに、飛来する弾丸を通過させて内部の粒状部材１４に入射させる機能を持つ。飛来する弾丸が停弾装置１２の射手側表面で破砕したり、反発されて兆弾となることのないよう、また、弾丸の貫通時の衝撃で射手側表面が破損して飛散することのないよう、停弾装置１２の弾性膜材１３は、弾粘性部材、つまり弾粘性のあるゴム、プラスチック、強化繊維布、網目材、またはこれらの貼付、サンドイッチ構造とした複合材で形成されている。
【００３１】
図４に、停弾装置１２の水平面での断面を示す。図４に示すように、支持部材１８は、標的２の中間の位置に配置され、弾性膜材１３を停弾装置１２の後壁を構成するケーシング１９に固定している。支持部材１８の間の弾性膜材１３は、充填された粒状部材の内圧で、前面側に向かって、膨出している。
【００３２】
次に、射座から発射された弾丸の捕捉機構を図５の模式図により説明する。停弾装置１２に到達した弾丸８は、図５のＡ０⇒Ｂ０⇒Ｃ０⇒Ｄ０の順序で進む挙動を示しながら停弾装置１２に捕捉される。すなわち、弾丸８は、弾性膜材１３を貫通し（Ｂ０）、粒状部材（チップ状の弾粘性部材）１４により弾丸の運動エネルギーを奪われて減速され（Ｃ０）、粒状部材１４内で停止して捕捉される（Ｄ０）。
【００３３】
停弾装置の前記支持部材１８を、標的２の真後ろになる領域から外れた位置、つまり複数配置された標的２の中間になる位置に設置することで、弾性膜材１３に加わる粒状部材１４の内圧を支持部材１８で支持することができるとともに、標的に集中する弾丸８による支持部材１８と弾性膜材１３の結合部の損傷が低減される。同時に、前記支持部材１８の設置により、撃ち込まれる弾丸による弾性膜材１３の損傷による、弾性膜材１３の前面側への膨れを低減でき、停弾装置上部における停弾装置としての機能を維持できる。
【００３４】
標的２の間隔が大きいときは、前記支持部材１８の設置位置は、必ずしも標的２の中間位置でなくとも、標的２の周辺の弾丸集中領域を外れた位置（少なくとも、標的２の真後ろになる領域を外れた位置）とすればよい。支持部材１８の間隔が大きすぎると、支持部材の中間での弾性膜材１３の膨れが大きくなり、好ましくない。支持部材１８の位置は、標的２を、標的２の標的面に垂直の方向に弾性膜材１３に投影して得られる領域の外側にするのが望ましい。支持部材１８の間隔の目安として、標的２の幅の１〜２倍が適当である。
【００３５】
本発明の第２の実施の形態を図６を参照して説明する。本実施の形態は、前記第１の実施の形態において、停弾装置１２を床と広角に傾斜させたものである。他の構成は前記第１の実施の形態と同じである。射手側から標的を見た場合、前記図２と同様の状態となる。本実施の形態では、前記第１の実施の形態の効果に加え、弾性膜材１３を射手側と反対方向に向かって傾斜させることで、弾性膜材１３に加わる粒状部材１４の内圧が低減され、弾性膜材１３の射手側への膨れが抑制される。この場合、図１２に示すものと比較すると、本実施の形態では、弾性膜材１３で粒状部材が覆われているため、粒状部材が飛散することなく、停弾装置１２の厚さも薄くて済む。
【００３６】
本発明の第３の実施の形態を図７を参照して説明する。本実施の形態は、前記第１の実施の形態において、停弾装置１２の全体を射手側方向に向かって傾斜させるもので、停弾装置１２を床に対して鋭角に傾斜させたものである。他の構成は前記第１の実施の形態と同じである。本実施の形態では、前記第１の実施の形態の効果に加え、停弾装置１２の全体を射手側方向に向かって傾斜させることで、停弾装置１２が床となす角度が鋭角になり、図６に示すものに比べ、標的後方に必要な射撃場長さを短縮できる。この場合、弾性膜材１３に加わる粒状部材１４の内圧が増加するが、本実施の形態のように支持部材１８を設けると、弾性膜材１３の射手側への膨れが抑制される。
【００３７】
本発明の第４の実施の形態を図８、図９を参照して説明する。本実施の形態は、標的２が、射手から見て左右方向に移動している状態で射撃を行なう場合に対応するものである。この場合、標的２の移動に伴ない、弾丸の主要到達範囲は、標的２の上下方向範囲を水平に移動した帯状の領域になる。支持部材１８は、図示のように、前記帯状の領域を外れた上下の位置に分割して設置して、支持部材１８と弾性膜材１３の結合部が弾丸によって損傷を受けるのを避ける構成としてある。
【００３８】
本実施の形態においても、標的２が、射手から見て左右方向に移動している状態で射撃を行なう射撃場に適用して前記第１の実施の形態と同様の効果が得られる。
【００３９】
【発明の効果】
本発明によれば、粒状部材保持材を後方に控制する支持部材を複数個設けたので、粒状部材保持材の射手側への上下左右の膨れが防止され、所定区画への粒状部材の充填、抜出しも均一化され、停弾装置上部の弾丸捕捉性能が低下するのを防止することが可能になる。
【図面の簡単な説明】
【図１】本発明の第１の実施の形態を示す側面図である。
【図２】図１に示す実施の形態のＡ−Ａ線矢視正面図である。
【図３】図１に示す実施の形態の一部破砕斜視図である。
【図４】図１に示す実施の形態のＢ−Ｂ線矢視平面断面図である
【図５】図１に示す実施の形態における弾丸捕捉状態を示す断面平面図である。
【図６】本発明の第２の実施の形態を示す側面図である。
【図７】本発明の第３の実施の形態を示す側面図である。
【図８】本発明の第４の実施の形態を示す正面図である。
【図９】図８に示す実施の形態の一部破砕斜視図である。
【図１０】従来技術の例を示す側面図である。
【図１１】図１０のＣ−Ｃ線矢視正面図である。
【図１２】従来技術の他の例を示す側面断面図である。
【図１３】従来技術の更に他の例を示す側面断面図である。
【図１４】図１３に示す従来技術における膨れの例を示す側面断面図である。
【符号の説明】
１  射手
２  標的
３  拳銃
４  鋼板製傾斜バックストップ
５  集弾溝
６  防弾堤
７  標的駆動装置
８〜１１  弾丸
１２  停弾装置
１３  弾性膜材
１４  粒状部材（チップ状の弾粘性部材）
１６  停弾装置フレーム
１７  防弾構造部材
１８  支持部材
１９  ケーシング
【図１】
0003559926.tif 000002
【図２】
0003559926.tif 000003
【図３】
0003559926.tif 000004
【図４】
0003559926.tif 000005
【図５】
0003559926.tif 000006
【図６】
0003559926.tif 000007
【図７】
0003559926.tif 000008
【図８】
0003559926.tif 000009
【図９】
0003559926.tif 000010
【図１０】
0003559926.tif 000011
【図１１】
0003559926.tif 000012
【図１２】
0003559926.tif 000013
【図１３】
0003559926.tif 000014
【図１４】
0003559926.tif 000015